(57)【要約】【課題】季節別時間帯別電灯契約に基づく電力使用料金を低減できること。【解決手段】湯または水を貯溜可能な貯湯タンクを備えたタンクユニットと、貯湯タンク内の湯または水を加熱可能とするヒートポンプユニット１１と、このヒートポンプユニットなどの運転を制御する制御装置１５Ｂとを有する貯湯式給湯装置において、上記制御装置は、長波標準時刻電波検出回路８２にて検出した長波標準時刻電波の時刻データを用い、ＲＯＭ１１５に予め記録した季節別時間帯別電灯契約に基づくデータを基準として、ヒートポンプユニットを運転するよう構成されたものである。【選択図】　　　図５
2004053184.tif 000002
【特許請求の範囲】
【請求項１】
湯または水を貯溜可能な貯湯タンクを備えたタンクユニットと、上記貯湯タンク内の湯または水を加熱可能とする熱源ユニットと、上記熱源ユニットなどの運転を制御する制御装置とを有する貯湯式給湯装置において、
上記制御装置は、長波標準時刻電波の時刻データを用い、予め記憶した季節別時間帯別電灯契約に基づくデータを基準として、上記熱源ユニットを運転するよう構成されたことを特徴とする貯湯式給湯装置。
【請求項２】
上記制御装置は、長波標準時刻電波の時刻データから取り込んだ季節及び日時を季節別時間帯別電灯契約に基づくデータと比較して、夜間電力を使用する熱源ユニットの運転を季節毎に変更し、貯湯タンクに貯溜される貯湯量を季節毎に増減制御するよう構成されたことを特徴とする請求項１に記載の貯湯式給湯装置。
【請求項３】
上記制御装置は、長波標準時刻電波を検出可能な検出回路を有することを特徴とする請求項１または２に記載の貯湯式給湯装置。
【請求項４】
上記制御装置に接続されたリモートコントローラに、長波標準時刻電波を検出可能な検出回路が設けられ、この検出された電波の時刻データが上記制御装置へ送信可能に構成されたことを特徴とする請求項１または２に記載の貯湯式給湯装置。
【請求項５】
上記制御装置は、タンクユニットに設けられたことを特徴とする請求項１乃至４のいずれかに記載の貯湯式給湯装置。
【請求項６】
上記熱源ユニットは、圧縮機、ヒートポンプ熱交換器及び冷媒対水熱交換器を含み、冷媒熱により水または湯を加熱可能とするヒートポンプユニットであることを特徴とする請求項１乃至５のいずれかに記載の貯湯式給湯装置。
【請求項７】
湯または水を貯溜可能な貯湯タンクを備えたタンクユニットと、上記貯湯タンク内の湯または水を加熱可能とする熱源ユニットとを有する貯湯式給湯装置の運転方法において、
長波標準時刻電波の時刻データを用い、予め記憶された季節別時間帯別電灯契約に基づくデータを基準として、上記熱源ユニットを運転することを特徴とする貯湯式給湯装置の運転方法。
【請求項８】
上記長波標準時刻電波の時刻データから季節及び日時を取り込み、これらの季節及び日時を季節別時間帯別電灯契約に基づくデータと比較して、夜間電力を使用する熱源ユニットの運転を季節毎に変更し、貯湯タンクに貯溜される貯湯量を季節毎に増減制御することを特徴とする請求項７に記載の貯湯式給湯装置の運転方法。
【発明の詳細な説明】
【０００１】
【発明の属する技術分野】
本発明は、貯湯式給湯装置およびその運転方法に係り、特に、季節別時間帯別電灯契約に基づく夜間時間帯の電力を利用する貯湯式給湯装置およびその運転方法に関する。
【０００２】
【従来の技術】
貯湯式給湯装置は、湯または水を貯溜可能な貯湯タンクを備えたタンクユニットと、上記貯湯タンク内の湯または水を加熱可能とする熱源ユニットと、上記熱源ユニットなどの運転を制御する制御装置とを有して構成されている。この種の貯湯式給湯装置には、上記制御装置が、季節別時間帯別電灯契約に基づく夜間時間帯に熱源ユニットを運転して、貯湯タンク内に湯を貯溜するようにしたものがある。
【０００３】
【発明が解決しようとする課題】
ところが、上述の貯湯式給湯装置では、制御装置内に設けられ、発振器を備えた内部タイマによって計時が実施されているため、長年の使用によって、内部タイマが計時する時刻の誤差の累積が増大してしまうことがある。
【０００４】
また、停電時にはバックアップ電源によって内部タイマの計時が実行されるが、このバックアップ電源を用いた内部タイマの計時動作において時刻誤差が大きくなり、この場合にも時刻の誤差の累積が増大してしまう恐れがある。
【０００５】
上述のように内部タイマにおける時刻の誤差の累積が増大すると、季節別時間帯別電灯契約に基づく夜間時間帯を逸脱して熱源ユニットを運転させてしまう場合が生じ、電力使用料金が高騰する場合がある。
【０００６】
更に、貯湯式給湯装置の設置後に内部タイマの初期時間設定が実施される。しかし、この時間設定作業が煩わしく、間違って設定してしまった場合にも、季節別時間帯別電灯契約に基づく夜間時間帯を逸脱して熱源ユニットを運転させてしまうことがあるので、電力使用料金が高騰する場合が生ずる。
【０００７】
本発明の目的は、上述の事情を考慮してなされたものであり、季節別時間帯別電灯契約に基づく電力使用料金を低減できる貯湯式給湯装置及びその運転方法を提供することにある。
【０００８】
【課題を解決するための手段】
請求項１に記載の発明は、湯または水を貯溜可能な貯湯タンクを備えたタンクユニットと、上記貯湯タンク内の湯または水を加熱可能とする熱源ユニットと、上記熱源ユニットなどの運転を制御する制御装置とを有する貯湯式給湯装置において、上記制御装置は、長波標準時刻電波の時刻データを用い、予め記憶した季節別時間帯別電灯契約に基づくデータを基準として、上記熱源ユニットを運転するよう構成されたことを特徴とするものである。
【０００９】
請求項２に記載の発明は、請求項１に記載の発明において、上記制御装置は、長波標準時刻電波の時刻データから取り込んだ季節及び日時を季節別時間帯別電灯契約に基づくデータと比較して、夜間電力を使用する熱源ユニットの運転を季節毎に変更し、貯湯タンクに貯溜される貯湯量を季節毎に増減制御するよう構成されたことを特徴とするものである。
【００１０】
請求項３に記載の発明は、請求項１または２に記載の発明において、上記制御装置は、長波標準時刻電波を検出可能な検出回路を有することを特徴とするものである。
【００１１】
請求項４に記載の発明は、請求項１または２に記載の発明において、上記制御装置に接続されたリモートコントローラに、長波標準時刻電波を検出可能な検出回路が設けられ、この検出された電波の時刻データが上記制御装置へ送信可能に構成されたことを特徴とするものである。
【００１２】
請求項５に記載の発明は、請求項１乃至４のいずれかに記載の発明において、上記制御装置は、タンクユニットに設けられたことを特徴とするものである。
【００１３】
請求項６に記載の発明は、請求項１乃至５のいずれかに記載の発明において、上記熱源ユニットは、圧縮機、ヒートポンプ熱交換器及び冷媒対水熱交換器を含み、冷媒熱により水または湯を加熱可能とするヒートポンプユニットであることを特徴とするものである。
【００１４】
請求項７に記載の発明は、湯または水を貯溜可能な貯湯タンクを備えたタンクユニットと、上記貯湯タンク内の湯または水を加熱可能とする熱源ユニットとを有する貯湯式給湯装置の運転方法において、長波標準時刻電波の時刻データを用い、予め記憶された季節別時間帯別電灯契約に基づくデータを基準として、上記熱源ユニットを運転することを特徴とするものである。
【００１５】
請求項８に記載の発明は、請求項７に記載の発明において、上記長波標準時刻電波の時刻データから季節及び日時を取り込み、これらの季節及び日時を季節別時間帯別電灯契約に基づくデータと比較して、夜間電力を使用する熱源ユニットの運転を季節毎に変更し、貯湯タンクに貯溜される貯湯量を季節毎に増減制御することを特徴とするものである。
【００１６】
【発明の実施の形態】
以下、本発明の実施の形態を、図面に基づき説明する。
【００１７】
図１は、本発明に係る貯湯式給湯装置の一実施の形態が適用されたヒートポンプ式給湯装置を示し、貯湯タンク内の水を加熱し、同タンク内に湯を貯溜するときの回路図である。
【００１８】
この図１に示すように、ヒートポンプ式給湯装置１０は、熱源ユニットとしてのヒートポンプユニット１１、貯湯ユニット１２、蛇口１３、浴槽１４、並びに制御装置１５Ａ及び１５Ｂを有して構成される。
【００１９】
ヒートポンプユニット１１は、圧縮機１６、貯湯用熱交換器（冷媒対水熱交換器）２７、ヒートポンプ熱交換器１８及びアキュムレータ１７が冷媒配管１９に順次配設されて構成される。圧縮機１６が冷媒を圧縮する。また、上記貯湯用熱交換器２７は、圧縮機１６から吐出された冷媒の熱により湯または水を加熱する。この実施形態において、冷媒は、例えば二酸化炭素を多く含有する冷媒等の自然冷媒である。二酸化炭素を多量に含有する冷媒の場合には、通常、フロン系冷媒に比べ冷媒圧力が高くなる。
【００２０】
前記した貯湯ユニット１２は、貯湯タンク２６及び浴槽用熱交換器（水対水熱交換器）２８、並びに蛇口給湯ライン７１及び浴槽注湯ライン７２等を有して構成される。
【００２１】
上記貯湯タンク２６は、貯湯用熱交換器２７を用いて冷媒熱により加熱された湯を貯溜するものである。この貯湯タンク２６と貯湯用熱交換器２７とは、貯湯用循環ポンプ３４、流量調整弁３５、第１切換電磁弁７３を備えた貯湯用水配管３６によりループ状に連結されて、第１切換電磁弁７３の開操作時に、図１の太線に示すように、水が循環する給湯用水循環回路Ｎが構成される。
【００２２】
冷媒に、二酸化炭素を多く含有する冷媒を用いた場合、上述のように、フロン系冷媒に比べ冷媒圧力が高くなり、貯湯用熱交換器２７に貯留される湯の温度は９０℃程度にまで上昇する。
【００２３】
ヒートポンプユニット１１と貯湯ユニット１２間は、貯湯用水配管３６によりループ状に連結されるため、高圧の冷媒配管（例えば冷媒配管１９）は外部に露出せず、ヒートポンプ式給湯装置の安全性が確保される。
【００２４】
貯湯タンク２６の底部２６Ｂには、減圧逆止弁３７を配設した第１水道水配管３８が接続されて、貯湯タンク２６内へ常に水道水が供給可能とされる。したがって、貯湯タンク２６内には常時水道水圧が作用する。また、貯湯タンク２６の天部２６Ａには、圧力逃し弁３９を備えた天部出湯配管４０が接続され、この貯湯タンク２６の天部２６Ａと底部２６Ｂとのほぼ中間部２６Ｃには中間部出湯配管３３が接続され、これら出湯配管３３，４０の合流部には、例えばワックス弁等のミキシング弁１００が配置されている。
【００２５】
貯湯用循環ポンプ３４の稼働により、貯湯タンク２６の底部２６Ｂの湯または水が貯湯用熱交換器２７に送給されると、この貯湯用熱交換器２７は、送給された湯または水を、ヒートポンプユニット１１の圧縮機１６から吐出された冷媒ガスの熱によって加熱する。この加熱された湯または水は、第１切換電磁弁７３の開操作時に、流量調整弁３５により流量調整され、貯湯タンク２６の天部２６Ａへ導かれ、貯湯タンク２６内に上限約９０℃の湯が貯溜可能とされる。
【００２６】
上記圧力逃し弁３９は、湯または水が過剰に加熱されて、貯湯タンク２６内の圧力が過大となった時に、この圧力を解放するものである。
【００２７】
上記浴槽用熱交換器２８は、貯湯タンク２６内の湯を循環させて浴槽１４内の湯を追い焚きする水対水熱交換器である。貯湯タンク２６内の湯は、天部２６Ａから導出された循環配管１０１中のポンプ１０２の駆動により汲み出される。この汲み出された湯は、循環配管１０１を経て浴槽用熱交換器２８に導かれ、浴槽１４内の湯または水を加熱（追い焚き）した後に、第２切換電磁弁７４及び戻り配管１０３を経て、貯湯タンク２６の天部２６Ａと底部２６Ｂとの中間部２６Ｃに戻される。
【００２８】
つまり、浴槽用熱交換器２８は、貯湯タンク２６内の湯を導く導入水配管７５と、浴槽１４内の湯または水を導く第１浴槽用水配管５１との接触によって、これらの導入水配管７５と第１浴槽用水配管５１内をそれぞれ流れる湯または水を熱交換可能とするように構成されたものである。導入水配管７５と第１浴槽用水配管５１は、浴槽用熱交換器２８を構成する部分においては、偏平管形状に形成されて接触面積が増大される。
【００２９】
また、浴槽用熱交換器２８と浴槽１４とを連通する上記第１浴槽用水配管５１は、浴槽用循環ポンプ４６、フィルタ４７、水位センサ４８、サーミスタ４９及びフロースイッチ５０を備える。この第１浴槽用水配管５１により、浴槽用熱交換器２８と浴槽１４との間で湯または水が循環する浴槽用水循環回路Ｐが構成される。
【００３０】
水位センサ４８は、第１浴槽用水配管５１を介して浴槽１４に連通していることから、この浴槽１４内の湯または水の水位を検出する。また、サーミスタ４９は、浴槽用水循環回路Ｐを湯または水が循環している時、その湯温を検知して、浴槽１４内の湯温を間接的に検出する。また、フロースイッチ５０は、浴槽用水循環回路Ｐを湯または水が循環していることを検出する。更に、フィルタ４７は、浴槽１４内に配設されたフィルタ５６とともに、湯を濾過する。
【００３１】
浴槽１４内に後述の如く注湯がなされて、この浴槽１４内に湯が張られ、この浴槽１４内の湯を追い焚きする時、循環ポンプ１０２及び浴槽用循環ポンプ４６が稼動される。すると、図４の太線に示すように、貯湯タンク２６内の湯と、浴槽１４内の湯が、共に浴槽用熱交換器２８内へ流入し、ここで熱交換し、浴槽１４内の湯が、貯湯タンク２６内の湯によって追い焚きされる。浴槽用熱交換器２８で仕事をした湯は、その熱交換により約５０℃に温度低下して、水配管１０３を経て、貯湯タンク２６の中間部２６Ｃに流入する。
【００３２】
前記蛇口給湯ライン７１は、図２の太線Ｑに示すように、給湯配管５９、混合制御弁５７及びフローセンサ５８を備えて構成される。
【００３３】
貯湯タンク２６には、第１水道水配管３８を介して水道水圧が作用していることから、蛇口１３を開くことにより、貯湯タンク２６内の湯が蛇口１３へ供給可能とされる。上記フローセンサ５８は、給湯配管５９内を流れる湯量を検出する。また、混合制御弁５７は、図２の太線Ｒに示すように、第２水道水配管６２を介して第１水道水配管３８の減圧逆止弁３７下流側に接続される。
【００３４】
従って、混合制御弁５７の開度制御により、給湯配管５９からの湯と第２水道水配管６２からの水道水とが混合されて、蛇口１３から給湯される湯が約６０℃以下、例えば４２℃に調整される。
【００３５】
前記浴槽注湯ライン７２は、図３の太線Ｓに示すように、給湯配管５９におけるフローセンサ５８下流側と、第１浴槽用水配管５１における浴槽用循環ポンプ４６、フロースイッチ５０間とを第２浴槽用水配管６８により接続することにより構成され、貯湯タンク２６内の湯を浴槽１４へ注湯可能とする。この第２浴槽用水配管６８には、給湯配管５９の側からフローセンサ６４、注湯用電磁弁６５、リリーフ手段６６、逆止弁６７、電磁弁５４が順次配設されている。
【００３６】
ここで、フローセンサ６４は、第２浴槽用水配管６８内を流れる湯量を検出する。また、リリーフ手段６６及び逆止弁６７は、過剰に加熱された湯が第２浴槽用水配管６８内を流れたときに、その圧力を逃がすものである。電磁弁５４は、風呂への注湯時に開かれ、追い焚き時に閉じられる。
【００３７】
浴槽用循環ポンプ４６を停止させた状態で、注湯用電磁弁６５，５４を開操作すると、図３の太線Ｓに示すように、貯湯タンク２６内の湯が、給湯配管５９の一部及び第２浴槽用水配管６８を流れて第１浴槽用水配管５１内に至り、この第１浴槽用水配管５１内でフロースイッチ５０、サーミスタ４９、水位センサ４８及びフィルタ４７を経て浴槽１４へ注湯される。
【００３８】
浴槽１４内に貯湯タンク２６から適量の湯が注湯されたことが水位センサ４８により検出された段階で、注湯用電磁弁６５，５４が閉操作される。その後、浴槽１４内の湯温が適温以下に低下したことがサーミスタ４９により検知されたときに、前述のように、浴槽１４内の湯または水が加熱（追い焚き）され、浴槽１４内の湯が保温される。
【００３９】
このように、貯湯タンク２６から浴槽１４へ適温の湯を適量注湯し、その後所定時間、浴槽１４内の湯を適温に加熱（追い焚き）して保温動作する運転を、浴槽自動運転と称する。
【００４０】
本実施形態では、自然冷媒を用いた冷媒回路を備えたため、フロン系冷媒を用いた冷媒回路に比べて、貯湯タンク２６に貯留される湯の温度は９０℃程度にまで上昇する。これによれば、貯湯タンク２６内の湯を循環させることによって、この湯温で浴槽１４内の湯を追い焚きすることができる。
【００４１】
前記制御装置１５Ａは、ヒートポンプユニット１１に設置されて、圧縮機１６の運転（容量制御を含む）及び停止を制御する。また、前記制御装置１５Ｂは貯湯ユニット１２に設置されて、貯湯用循環ポンプ３４及び浴槽用循環ポンプ４６の稼働または停止、第１切換電磁弁７３、第２切換電磁弁７４、注湯用電磁弁６５及び５４の開閉、流量調整弁３５及び混合制御弁５７の開度等を制御する。
【００４２】
上記制御装置１５Ｂは、ヒートポンプユニット１１の制御装置１５Ａと通信線７８により接続されて、双方向通信が実施可能とされる。従って、タンクユニット１２の制御装置１５Ｂにより、ヒートポンプユニット１１の制御装置１５Ａを介してヒートポンプユニット１１の運転、例えばヒートポンプユニット１１の圧縮機１６の運転が制御される。
【００４３】
また、制御装置１５Ｂには、台所リモートコントローラ（台所リモコン）７９及び風呂リモートコントローラ（風呂リモコン）８０が有線または無線状態で接続される。これらの台所リモートコントローラ７９または風呂リモートコントローラ８０により、制御装置１５Ａまたは１５Ｂを介して、ヒートポンプユニット１１またはタンクユニット１２内の上記機器（例えば圧縮機１６、貯湯用循環ポンプ３４等）が制御される。
【００４４】
上記制御装置１５Ｂは、図５に示すように、マイクロコンピュータ８１、長波標準時刻電波検出回路８２、センサ入力回路８３、ドライバ回路８４及び通信回路９０を有して構成される。そして、上記マイクロコンピュータ８１は、ＣＰＵ１１３、内部タイマ１１４、ＲＯＭ１１５及びＲＡＭ１１６を有して構成される。
【００４５】
制御装置１５Ｂのマイクロコンピュータ８１は、通信回路９０を用いて、上述の如く台所リモートコントローラ７９及び風呂リモートコントローラ８０と通信可能に構成される。また、センサ入力回路８３は、例えば貯湯タンク２６の鉛直方向に複数個設置された温度センサからの温度データをマイクロコンピュータ８１へ出力する。更に、上記ドライバ回路８４は、マイクロコンピュータ８１からの指令信号により、給湯用循環ポンプ３４や流量制御弁３５などを駆動する。
【００４６】
また、上記長波標準時刻電波検出回路８２は、例えば２４時間ごとに長波標準時刻電波を検出して受信し、この電波中の時刻データ（タイムコード）をマイクロコンピュータ８１の内部タイマ１１４へ送信する。この内部タイマ１１４は、２４時間の計時を実行するが、長波標準時刻電波検出回路８２から時刻データを受信した際に、当該時刻データから日付、曜日、時刻などを判別して、自己の日付、曜日、時刻などを補正する。なお、この内部タイマ１１４は、長波標準時刻電波検出回路８２が６０秒ごとに長波標準時刻電波を検出する場合には、その電波中の時刻データを受信して自己の時刻などを補正すると共に、上記６０秒の計時を実行する。
【００４７】
ここで、上記内部タイマ１１４の初期時刻設定は、ヒートポンプ式給湯装置１０の設置工事終了後の電源投入時に、長波標準時刻電波検出回路８２が検出した長波標準時刻電波中の時刻データに基づいて、内部タイマ１１４が自己の日付、曜日、時刻を自動設定するよう構成されている。
【００４８】
また、上記ＲＯＭ１１５に、電力会社との間で締約された季節別時間帯別電灯契約のデータが予め記録されている。この季節別時間帯別電灯契約は、図７に示すように、昼間時間帯、朝晩時間帯、夜間時間帯のそれぞれの時間帯の開始時間と終了時間、及び各時間帯における単位電力量当たりの電力使用料金が表示されたものである。このうち、昼間時間帯においては、夏季とその他の季節とで電力使用料金が異なって設定されている。電力使用料金は、夏季の昼間時間帯がＡ、その他の季節の昼間時間帯がＢ、朝晩時間帯がＣ、夜間時間帯がＤの順に順次低く設定されている。また、夏季とその他の季節のそれぞれの開始日と終了日についても、この季節別時間帯別電灯契約に表示されている。
【００４９】
また、図５に示すマイクロコンピュータ８１のＣＰＵ１１３は、長波標準時刻電波の時刻データにより補正された内部タイマ１１４の日付（季節）、曜日、時刻を用い、ＲＯＭ１１５に格納された季節別時間帯別電灯契約に基づくデータを基準として、ヒートポンプユニット１１の運転を制御するよう構成されている。つまり、ＣＰＵ１１３は、長波標準時刻電波の時刻データを内部タイマ１１４が取り込んで補正した日付（季節）、曜日及び時刻を、ＲＯＭ１１５内の季節別時間帯別電灯契約のデータと比較して、夜間電力を使用するヒートポンプユニット１１の運転パターンを季節ごとに変更し、貯湯タンク２６に貯溜される貯湯量を季節ごとに増減制御するよう構成される。
【００５０】
更に、この制御装置１５Ｂにおけるマイクロコンピュータ８１のＣＰＵ１１３によるヒートポンプユニット１１の運転パターンを詳説する。１日に平均２００リットルの湯を使用する家庭において、昼間時間帯の電力使用料金が高い夏季では、夜間時間帯の電力を用い、１００リットルの余裕を見込んで、３００リットルの湯（例えば８５℃）を夜間に沸き上げ貯湯タンク２６内に貯湯して保温し、この湯を昼間の時間帯に使用させるようにする。１００リットルの余裕があるため、昼間時間帯にヒートポンプユニット１１を運転させて、湯を沸き上げることが抑制される。
【００５１】
同様に１日に平均２００リットルの湯を使用する家庭において、昼間時間帯の電力使用料金が安い夏季以外の季節では、夜間時間帯の電力を用い、５０リットルの余裕を見込んで、２５０リットルの湯（例えば８５℃）を夜間に沸き上げ、貯湯タンク２６内に貯湯して保温しておく。昼間の時間帯に、余裕量を超える湯の需要がある時には、その都度ヒートポンプユニット１１を運転して湯を沸き上げる。このように、貯湯タンク２６内の貯湯量が夏季に比べて減少されることから、保温のための電力消費の無駄が抑制される。
【００５２】
ここで、前記台所リモートコントローラ７９は、操作部９１及び表示部９２を有してなり、操作部９１に給湯運転スイッチ９３、給湯温度上げスイッチ９４、給湯温度下げスイッチ９５、曜日スイッチ９６、運転スイッチ９７、貯湯量上げスイッチ９８及び貯湯量下げスイッチ９９が配置される。更に、この台所リモートコントローラ７９は、図６に示すように、マイクロコンピュータ１１０が上記各スイッチ９３〜９９からの信号を入力して、ドライバ回路１１１を経て表示部９２への表示を変更させると共に、通信回路１１２を介して前述のごとく制御装置１５Ｂと通信可能に設けられる。
【００５３】
以上のように構成されたことから、上記実施の形態によれば、次の効果▲１▼〜▲４▼を奏する。
【００５４】
▲１▼制御装置１５Ｂの長波標準時刻電波検出回路８２が検出した長波標準時刻電波中の時刻データを用いて、マイクロコンピュータ８１の内部タイマ１１４が自己の日付（季節）、曜日、時刻を逐次補正することから、この内部タイマ１１４における時刻の誤差の累積を防止できる。このため、内部タイマ１１４の時刻を低コストで高精度に維持できる。
【００５５】
▲２▼制御装置１５Ｂにおけるマイクロコンピュータ８１のＣＰＵ１１３が、高精度に維持された内部タイマ１１４の日付（季節）、曜日、時刻を用い、夜間時間帯にヒートポンプユニット１１を運転させて、貯湯タンク２６内の水または湯を加熱し沸き上げることから、この夜間時間帯が、ＲＯＭ１１５に予め記憶された季節別時間帯別電灯契約のデータにおける夜間時間帯から逸脱することを確実に防止できる。このため、ヒートポンプユニット１１による貯湯タンク２６内の湯または水の加熱運転時に消費される電力の使用料金を低コストに維持できるので、季節別時間帯別電灯契約に基づく電力使用料金を低減できる。
【００５６】
▲３▼制御装置１５Ｂのマイクロコンピュータ８１が、夜間電力を使用するヒートポンプユニット１１の運転を季節ごとに変更して、貯湯タンク２６内に貯溜される貯湯量を季節ごとに増減する。つまり、夏季には、貯湯タンク２６への貯湯量を増大させて、昼間の時間帯に貯湯タンク２６内の湯または水の加熱運転の実施を確実に防止させ、また、夏季以外の季節では、貯湯タンク２６内への貯湯量を夏季の場合に比べて減少させて、この貯湯タンク２６内の湯の保温のための消費電力を減少させる。これにより、季節別時間帯別電灯契約に基づく電力使用料金を低減できる。
【００５７】
▲４▼ヒートポンプ式給湯装置１０の設置工事終了後の電源投入時に、長波標準時刻電波検出回路８２が検出した長波標準時刻電波中の時刻データに基づいて内部タイマ１１４が自己の日付（季節）、曜日、時刻を自動で設定することから、この内部タイマ１１４における時刻設定ミスを確実に防止できる。
【００５８】
以上、本発明を上記実施の形態に基づいて説明したが、本発明はこれに限定されるものではない。
【００５９】
例えば、長波標準時刻電波検出回路８２が制御装置１５Ｂに設置されず、図６に示すように、台所リモートコントローラ７９に設置され、この長波標準時刻電波検出回路８２にて検出された長波標準時刻電波が、台所リモートコントローラ７９の通信回路１１２及び制御装置１５Ｂの通信回路９０を用いて、制御装置１５Ｂのマイクロコンピュータ８１へ送信可能に構成されてもよい。
【００６０】
また、上記実施の形態では、熱源ユニットがヒートポンプユニット１１の場合を述べたが、ボイラーなどの場合であってもよい。
【００６１】
【発明の効果】
請求項１乃至６に記載の発明に係る貯湯式給湯装置によれば、季節別時間帯別電灯契約に基づく電力使用料金を低減できる。
【００６２】
請求項７及び８に記載の発明に係る貯湯式給湯装置の運転方法によれば、季節別時間帯別電灯契約に基づく電力使用料金を低減できる。
【図面の簡単な説明】
【図１】本発明に係る貯湯式給湯装置の一実施の形態が適用されたヒートポンプ式給湯装置を示し、貯湯タンク内の水を加熱し、同タンク内に湯を貯溜するときの回路図である。
【図２】図１において、蛇口へ給湯するときの回路図である。
【図３】図１において、浴槽へ注湯するときの回路図である。
【図４】図１において、浴槽内の湯または水を加熱（追い焚き）して保温するときの回路図である。
【図５】図１の制御装置１５Ｂを示すブロック図である。
【図６】図１の台所リモートコントローラを示すブロック図である。
【図７】図５のＲＯＭに格納された季節別時間帯別電灯契約のデータを示す図表である。
【符号の説明】
１０　ヒートポンプ式給湯装置（貯湯式給湯装置）
１１　ヒートポンプユニット（熱源ユニット）
１２　タンクユニット
１５Ｂ　制御装置
１６　圧縮機
１８　ヒートポンプ熱交換器
２６　貯湯タンク
２７　給湯用熱交換器（冷媒対水熱交換器）
８１　マイクロコンピュータ
８２　長波標準時刻電波検出回路
９０　通信回路
１１３　ＣＰＵ
１１４　内部タイマ
１１５　ＲＯＭ
【図１】
2004053184.tif 000003
【図２】
2004053184.tif 000004
【図３】
2004053184.tif 000005
【図４】
2004053184.tif 000006
【図５】
2004053184.tif 000007
【図６】
2004053184.tif 000008
【図７】
2004053184.tif 000009